(57)【要約】      （修正有）【課題】洋上風力発電用支柱の輸送装置を提供する。【解決手段】ベース１を含み、ベースの短軸方向の両側の中心位置にそれぞれ垂直に設置されたコラム２が設けられ、コラムの上方に横ビーム３が設けられ、コラムの短軸方向の両側にそれぞれ支持体５が設けられる支持機構と、ベースと横ビームの間にある円弧状接続体６を含み、接続体とベースの間に複数のピラー７が設けられる接続機構と、支持機構の上方に設置され、左右に設置されて底板と後板と底板の両側にある側板とを含む２つのラグ９を含み、吊上ビーム１４が２つのラグの側板を貫通して設置され、吊上ビームのラグの２つの側板間にある位置に吊上ビームの外円の円周方向に沿って内へ窪んで設置された吊り溝１６が設けられ、吊上ビームとラグとの接続位置に制限ユニットが設けられる吊上ビーム機構とを備える。本考案は、構成が簡単で、接続の強度を向上させ、吊り下げるときに揺れることを防止するという利点を有する。【選択図】図１
0003217212.tif 000002
【実用新案登録請求の範囲】
【請求項１】
洋上風力発電用支柱の輸送装置であって、
長方形構造をしているベースを含み、前記ベースの短軸方向の両側の中心位置にそれぞれ垂直に設置されたコラムが設けられ、前記コラムの上方に横ビームが設けられ、前記横ビームの延伸方向とベースの長軸の延伸方向が一致し、前記横ビームの両端にそれぞれ複数の貫通孔ａが設けられ、前記コラムには短軸方向の両側に沿ってそれぞれ傾斜して設置された支持体が設けられる支持機構と、
ベースと横ビームの間に配置された円弧状接続体を含み、前記接続体が開口を上にして設置され、前記接続体の両端が両側にあるコラムの上端に接続され、前記接続体の厚みとコラムの厚みが一致し、前記接続体とベースの間に複数の垂直に設置されたピラーが設けられ、前記接続体に等周長で配列するように配置された接続孔が複数設置され、複数の接続孔の所在する円が接続体の所在する円と同心に設置される接続機構と、
支持機構の上方に設置され、左右に設置されて底板と後板と底板の両側にある側板とを含む２つのラグを含み、前記底板、後板には均等に配列された２列の貫通孔ｂが設けられ、前記ラグと横ビームがボルトにより接続され、ボルトが貫通孔ａ、貫通孔ｂを貫通して設置され、横方向に置かれた吊上ビームが２つのラグの側板を貫通して設置され、前記吊上ビームの両端がそれぞれラグの外側に設置され、且つ吊上ビームの両端にそれぞれストッパーが設けられ、吊上ビームのラグの２つの側板間にある位置には吊上ビームの外円の円周方向に沿って内へ窪んで設置された吊り溝が設置され、前記吊上ビームとラグの接続位置に制限ユニットが設けられる吊上ビーム機構とを備えることを特徴とする洋上風力発電用支柱の輸送装置。
【請求項２】
前記ベースは、縦方向に左右に設置された２つのホルダーａと、２つのホルダーａの間に設置され且つ均等に前後配列され横方向に設置している複数のホルダーｂとを含み、前記ホルダーａとホルダーｂは工字型構造であることを特徴とする請求項１に記載の洋上風力発電用支柱の輸送装置。
【請求項３】
前記横ビームは工字型構造であることを特徴とする請求項１または２に記載の洋上風力発電用支柱の輸送装置。
【請求項４】
前記制限ユニットは、吊上ビームの外円周に設置された複数の凹溝を含み、前記複数の凹溝は側板に対応して設置され、前記側板の中心に円状孔が設けられ、該円状孔の内壁に凹溝に対応して設置された可動ボスが設けられることを特徴とする請求項１乃至３のいずれか一項に記載の洋上風力発電用支柱の輸送装置。
【請求項５】
前記吊り溝は環状構造或いは波状構造であることを特徴とする請求項１乃至４のいずれか一項に記載の洋上風力発電用支柱の輸送装置。
【考案の詳細な説明】
【技術分野】
【０００１】
本考案は洋上風力発電塔支柱の分野に関し、具体的には、洋上風力発電用支柱の輸送装置に関する。
【背景技術】
【０００２】
風力発電塔支柱は風力発電塔のポールであり、風力発電ユニットでは主に支持作用を果たし、同時にユニットによる振動を吸収するものであり、風力発電塔支柱を取り付ける前に大量の輸送操作が必要であり、且つ安定的な輸送ツールが必要であり、従来の輸送ツールは、上端を円弧状構造にして、上端面に緩衝ガスケットが設置され、風力発電用支柱を緩衝ガスケットに置いて輸送し、ロープを風力発電用支柱の外側に巻き付けて固定するものであり、このような巻き付け方式は複雑で、時間も手間もかかり、且つ安定的に固定できず、作業効率を大幅に低下させる。
【０００３】
上記問題を解決するために、特許番号２０１５１０９２７８１３．ｘにおいて、支持フレームと吊上ビームを含み、容易に吊り上げることができ、安定性に優れた風力発電用支柱用の洋上輸送ツールが開示されているが、下記欠点が存在する。１、風力発電用支柱のフランジと支持フレームは底部フレームに設置された長方形取付板だけで接続され、風力発電用支柱の体積が大きくて、接続面積が小さいため、吊り上げる過程に落ちやすく、安全上のリスクがある。２、該特許には、取付板が２つの傾斜して設置された補強リブに設置され、補強リブがコラムと底部フレームの間に設置され且つ底部フレームの内側位置に位置する大直径風力発電用支柱向けのツールが開示されており、風力発電用支柱の重量が大きいことにより、取付板と補強リブだけで接続されると、補強リブへの負荷が極めて大きく、補強リブの破損が発生して、風力発電用支柱の正常な輸送に悪影響を及ぼすことが発生しやすい。３、吊り上げるときに、ロープがラグの内部位置で吊上ビームに巻き付けられているため、吊り上げる過程において、ロープが風力発電用支柱に一体に取り付けられた輸送ツールを吊り上げることになり、揺れやすく、吊上ビームのラグ内部にある位置にロープが移動しやすく、輸送過程全体のバランスに影響を与えて、吊り下げる過程の困難さが高まる。
【考案の概要】
【考案が解決しようとする課題】
【０００４】
本考案の目的は、以上の欠点を克服して、構成が簡単で、接続の強度を向上させ、吊り下げるときに揺れることを防止する洋上風力発電用支柱の輸送装置を提供することにある。
【課題を解決するための手段】
【０００５】
本考案の目的は以下の技術案により達成される。
洋上風力発電用支柱の輸送装置であって、
長方形構造をしているベースを含み、ベースの短軸方向の両側の中心位置にそれぞれ垂直に設置されたコラムが設けられ、コラムの上方に横ビームが設けられ、横ビームの延伸方向とベースの長軸の延伸方向が一致し、横ビームの両端にそれぞれ複数の貫通孔ａが設けられ、コラムには短軸方向の両側に沿ってそれぞれ傾斜して設置された支持体が設けられる支持機構と、
ベースと横ビームの間に配置された円弧状接続体を含み、接続体が開口を上にして設置され、接続体の両端が両側にあるコラムの上端に接続され、接続体の厚みとコラムの厚みが一致し、接続体とベースの間に複数の垂直に設置されたピラーが設けられ、接続体に等周長で配列するように配置された接続孔が複数設置され、複数の接続孔の所在する円が接続体の所在する円と同心に設置される接続機構と、
支持機構の上方に設置され、左右に設置されて底板と後板と底板の両側にある側板とを含む２つのラグを含み、底板、後板には均等に配置された２列の貫通孔ｂが設けられ、ラグと横ビームがボルトにより接続され、ボルトが貫通孔ａ、貫通孔ｂを貫通して設置され、横方向に置かれた吊上ビームが２つのラグの側板を貫通して設置され、吊上ビームの両端がそれぞれラグの外側に設置され、且つ吊上ビームの両端にそれぞれストッパーが設けられ、吊上ビームのラグの２つの側板間にある位置には吊上ビームの外円の円周方向に沿って内へ窪んで設置された吊り溝が設置され、吊上ビームとラグの接続位置に制限ユニットが設けられる吊上ビーム機構とを備える。
【０００６】
本考案のさらなる改良として、ベースは、縦方向に左右に設置された２つのホルダーａと、２つのホルダーａの間に設置され且つ均等に前後配列され横方向に設置している複数のホルダーｂとを含み、ホルダーａとホルダーｂは工字型構造である。
【０００７】
本考案のさらなる改良として、横ビームは工字型構造である。
【０００８】
本考案のさらなる改良として、制限ユニットは、吊上ビームの外円周に設置された複数の凹溝を含み、複数の凹溝は側板に対応して設置され、側板の中心に円状孔が設けられ、該円状孔の内壁に凹溝に対応して設置された可動ボスが設けられる。
【０００９】
本考案のさらなる改良として、吊り溝は環状構造である。
【００１０】
本考案のさらなる改良として、吊り溝は波状構造である。
【考案の効果】
【００１１】
従来技術に比べ、本考案は以下の利点がある。
【００１２】
１、本考案は、支持機構、接続機構及び吊上ビーム機構を備え、構成が簡単で、合理的に設計されるものであり、接続機構は、ベースと横ビームの間に設置された円弧状接続体を含み、円弧状接続体は風力発電用支柱のフランジに接続され、円弧状構造の接続体とフランジとの接触面積が大きくなり、このように、接続体と風力発電用支柱の接続の安定性が確保され、接続体とベースの間に複数の垂直に設置されたピラーが設けられることにより、支持固定の作用を果たし、接続体の変形を防止する。吊上ビーム機構を設置することにより、ホイストによる吊り上げ作業を容易にし、ロープが吊上ビームのラグ内部にある外部リングに巻き付けられるだけで、吊り上げ作業を実現でき、吊上ビームのラグの２つの側板間にある位置には吊上ビームの外円の円周方向に沿って内へ窪んで設置された吊り溝が設けられることにより、ロープの吊上ビームでの移動を防止し、吊り上げ過程での揺れを回避する。
２、ホルダーａ、ホルダーｂ、横ビームはいずれも工字型構造にすることで、材料が入手しやすく、低コストで、容易且つ強固に接続できる。
３、吊上ビームとラグの接続位置に制限ユニットが設けられることによって、吊上ビームとラグを強固に接続し、吊り上げる過程にラグと吊上ビームが離脱することを防止する。
４、吊り溝を環形構造にすることで、ロープの吊上ビームでの移動を防止する作用を果たし、吊り溝を波状構造にすることで、ロープと吊上ビームの接触面積を増大し、ロープが波状構造の吊り溝に従って吊上ビームに巻き付けられることにより、ロープの移動を防止して、吊り上げと輸送の安定性を更に向上させる。
【図面の簡単な説明】
【００１３】
【図１】本考案の洋上風力発電用支柱の輸送装置の構造模式図である。
【図２】本考案の洋上風力発電用支柱の輸送装置の支持機構と接続機構の接続模式図である。
【図３】本考案の洋上風力発電用支柱の輸送装置の吊上ビーム機構の構造模式図である。
【図４】本考案の洋上風力発電用支柱の輸送装置の制限ユニットの構造模式図である。
【考案を実施するための形態】
【００１４】
本考案の理解を深めるために、以下、実施例と図面を参照しながら、本考案についてさらに詳細に説明するが、該実施例は本考案を解釈するものに過ぎず、本考案の保護範囲を限定するものではない。
【００１５】
本実施例の洋上風力発電用支柱の輸送装置は、図１、図２に示されるように、長方形構造をしているベース１を含み、ベース１の短軸方向の両側の中心位置にそれぞれ垂直に設置されたコラム２が設けられ、コラム２の上方に横ビーム３が設けられ、横ビーム３の延伸方向とベース１の長軸の延伸方向が一致し、横ビーム３の両端にそれぞれ複数の貫通孔ａ４が設けられ、コラム２には短軸方向の両側に沿ってそれぞれ傾斜して設置された支持体５が設けられる支持機構と、ベース１と横ビーム３の間に配置された円弧状接続体６を含み、接続体６が開口を上にして設置され、接続体６の両端が両側にあるコラム２の上端に接続され、接続体６の厚みとコラム２の厚みが一致し、接続体６とベース１の間に複数の垂直に設置されたピラー７が設けられ、接続体６に等周長で配列するように配置された接続孔８が複数設置され、複数の接続孔８の所在する円が接続体６の所在する円と同心に設置される接続機構と、図３に示されるように、支持機構の上方に設置され、左右に設置されて底板１０と後板１１と底板１０の両側にある側板１２とを含む２つのラグ９を含み、底板１０、後板１１に均等に配列された２列の貫通孔ｂ１３が設けられ、ラグ９と横ビーム３がボルトにより接続され、ボルトが貫通孔ａ４、貫通孔ｂ１３を貫通して設置され、横方向に置かれた吊上ビーム１４が２つのラグ９の側板を貫通して設置され、吊上ビーム１４の両端がそれぞれラグ９の外側に設置され、且つ吊上ビーム１４の両端にそれぞれストッパー１５が設けられ、吊上ビーム１４のラグ９の２つの側板１２の間にある位置に吊上ビーム１４の外円の円周方向に沿って内へ窪んで設置された吊り溝１６が設置され、吊上ビーム１４とラグ９の接続位置に制限ユニットが設けられる吊上ビーム機構とを備える。
【００１６】
ベース１は、縦方向に左右に設置された２つのホルダーａ１７と、２つのホルダーａ１７の間に設置され且つ均等に前後配列され横方向に設置された複数のホルダーｂ１８とを含み、ホルダーａ１７とホルダーｂ１８は工字型構造であり、横ビーム３は工字型構造であり、ホルダーａ１７、ホルダーｂ１８、横ビーム３はいずれも工字型構造であり、このように、材料が入手しやすく、低コストで、容易且つ強固に接続できる。
【００１７】
図４に示されるように、制限ユニットは、吊上ビーム１４の外円周に設置された複数の凹溝１９を含み、複数の凹溝１９は側板１２に対応して設置され、側板１２の中心に円状孔２０が設けられ、該円状孔２０の内壁に凹溝１９に対応して設置された可動ボス２１が設けられ、制限ユニットの設置により吊上ビーム１４とラグ９を強固に接続し、吊り上げる過程においてラグ９と吊上ビーム１４が離脱することを回避する。
【００１８】
吊り溝１６を環状構造にし、このようにして、ロープの吊上ビーム１４での移動を防止する作用を果たす。
【００１９】
吊り溝１６を波状構造にし、このようにして、ロープと吊上ビームの接触面積を増大し、ロープが波状構造の吊り溝１６に従って吊上ビーム１４に巻き付けられることで、ロープの移動を防止して、吊り上げと輸送の安定性を更に向上させる。
【００２０】
本考案は、支持機構、接続機構及び吊上ビーム機構を備え、構成が簡単で、合理的に設計されるものであり、接続機構は、ベース１と横ビーム３の間に設置された円弧状接続体６を含み、円弧状接続体６は風力発電用支柱のフランジに接続され、円弧状構造の接続体６とフランジとの接触面積が大きくなり、このように、接続体６と風力発電用支柱の接続の安定性が確保され、接続体６とベース１の間に複数の垂直に設置されたピラー７が設けられることにより、支持固定の作用を果たし、接続体６の変形を防止する。吊上ビーム機構を設置することにより、ホイストによる吊り上げ作業を容易にし、ロープが吊上ビーム１４のラグ９の内部にある外部リングに巻き付けられるだけで、吊り上げ作用を実現でき、吊上ビーム１４のラグ９の２つの側板１２の間にある位置には吊上ビーム１４の外円の円周方向に沿って内へ窪んで設置された吊り溝１６が設けられることにより、ロープの吊上ビーム１４での移動を防止し、吊り上げ過程での揺れを回避する。
【００２１】
当業者であれば、本考案は上記実施例に制限されず、上記実施例と明細書に記載の説明は本考案の原理を説明するものに過ぎず、本考案の主旨と範囲を逸脱することなく、本考案について各種の変化や改良を実施でき、これら変化や改良はすべて本考案の保護範囲に属する。本考案による保護範囲は添付した特許請求の範囲及びその同等物により限定される。
【符号の説明】
【００２２】
１−ベース
２−コラム
３−横ビーム
４−貫通孔ａ
５−支持体
６−接続体
７−ピラー
８−接続孔
９−ラグ
１０−底板
１１−後板
１２−側板
１３−貫通孔ｂ
１４−吊上ビーム
１５−ストッパー
１６−吊り溝
１７−ホルダーａ
１８−ホルダーｂ
１９−凹溝
２０−円状孔
２１−可動ボス
【図１】
0003217212.tif 000003
【図２】
0003217212.tif 000004
【図３】
0003217212.tif 000005
【図４】
0003217212.tif 000006